(57)【要約】【課題】高いＱ特性を示す積層型コイル部品を提供する。【解決手段】コイル導体層と絶縁層を交互に積層してなる積層型コイル部品であり、略同一形状の複数のコイル導体パターン１１からなる第１のコイル導体層、略同一形状の複数のコイル導体パターン１３からなる第２のコイル導体層、略同一形状の複数のコイル導体パターン１５からなる第３のコイル導体層、以下略を、絶縁体パターン１２、１４、１６、１８を介して順次積層することにより、積層方向に巻かれたヘリカル巻きの複数のコイル３０、３１を構成する。前記複数のコイル３０、３１同士を少なくともその両端で電気的に接続することにより多重巻きとする構成である。【選択図】図２
2006148035.tif 000002
【特許請求の範囲】
【請求項１】
コイル導体層と絶縁層を交互に積層してなる積層型コイル部品において、略同一形状の複数のコイル導体パターン１からなる第１のコイル導体層、略同一形状の複数のコイル導体パターン２からなる第２のコイル導体層、略同一形状の複数のコイル導体パターン３からなる第３のコイル導体層、以下略を、絶縁層を介して順次積層することにより、積層方向に巻かれたヘリカル巻きのコイルを複数構成し、前記複数のコイル同士を少なくともその両端で電気的に接続することにより多重巻きとしたことを特徴とする積層型コイル部品。
【請求項２】
前記略同一形状の複数のコイル導体パターン１または２または３以下略、の位置関係が、磁束方向に重ね合わせた関係でないことを特徴とする請求項１記載の積層型コイル部品。
【請求項３】
前記コイルへの通電によって生じる磁束方向の両端部に端子電極を形成した積層型コイル部品において、請求項１又は２記載の積層型コイル部品。
【発明の詳細な説明】
【技術分野】
【０００１】本発明は積層型コイル部品に係り、とくに高いＱ特性を示す高Ｑ積層型コイル部品に関するものである。
【背景技術】
【０００２】従来、特開平１１−２６２４１号公報にあるように、セラッミク積層工法によりコイルをヘリカル状に形成し、このコイルへの通電により生じる積層体の磁束方向の両端部に端子電極を形成した積層型コイル部品がある。【０００３】この構成で積層型コイル部品を作製すると、チップの実装方向によるインダクタンス値の変動がなくなり、また端子電極とコイル間の浮遊容量が減少するために、ＳＲＦ（自己共振周波数）が上昇することが知られている。
【発明の開示】
【発明が解決しようとする課題】
【０００４】ところで、上記従来構成であると、Ｑ特性に関して、以下の２つの課題がある。【０００５】（１）コイルが１つであるので、コイル全体としては１重巻きであり、コイル全体の抵抗値が大きい。【０００６】従って、Ｑ特性が低く、いまだＱ特性に上昇の余地がある。【０００７】（２）また、コイル導体のアスペクト比が小さいのでコイル全体の抵抗値が大きい。【０００８】従って、Ｑ特性が低く、いまだＱ特性に上昇の余地がある。【０００９】しかし、従来のセラミック積層工法ではコイル導体の厚さを大幅に増やすことは困難であり、コイル導体のアスペクト比を大幅に上げることは難しい。【００１０】本発明は上記の点に鑑み、高いＱ特性を示す積層型コイル部品を提供することを目的とする。
【課題を解決するための手段】
【００１１】上記目的を達成するために、本願請求項１の発明に係る積層型コイル部品は、コイル導体層と絶縁層を交互に積層してなる積層型コイル部品において、略同一形状の複数のコイル導体パターン１からなる第１のコイル導体層、略同一形状の複数のコイル導体パターン２からなる第２のコイル導体層、略同一形状の複数のコイル導体パターン３からなる第３のコイル導体層、以下略を、絶縁層を介して順次積層することにより、積層方向に巻かれたヘリカル巻きのコイルを複数構成し、前記複数のコイル同士を少なくともその両端で電気的に接続することにより多重巻きとしたことを特徴としている。【００１２】本願請求項２の発明に係る積層型コイル部品は、請求項１において、前記略同一形状の複数のコイル導体パターン１または２または３以下略、の位置関係が、磁束方向に重ね合わせた関係でないことを特徴としている。【００１３】本願請求項３の発明に係る積層型コイル部品は、請求項１または２において、前記コイルへの通電によって生じる磁束方向の両端部に端子電極を形成した場合であることを特徴としている。
【発明を実施するための最良の形態】
【００１４】以下、本発明に係る積層型コイル部品を実施するための最良の形態を図面に従って説明する。【００１５】図２および図５で本発明に係る積層型コイル部品の第１の実施の形態について説明する。【００１６】図２および図５はコイルへの通電によって生じる磁束方向の両端部に端子電極を形成した積層型コイル部品の場合である。【００１７】図２（Ａ）は第１誘電体パターン１０からなる第１誘電体層を、同図（Ｂ）はその第１誘電体層の上に積層形成された第１コイル導体パターン１１からなる第１コイル導体層を、同図（Ｃ）その上に積層形成された第２誘電体パターン１２からなる第２誘電体層を、同図（Ｄ）はその上に積層形成された第２コイル導体パターン１３からなる第２コイル導体層を、同図（Ｅ）はその上に積層形成された第３誘電体パターン１４からなる第３誘電体層を、同図（Ｆ）はその上に積層形成された第３コイル導体パターン１５からなる第３コイル導体層を、同図（Ｇ）はその上に積層形成された第４誘電体パターン１６からなる第４誘電体層を、同図（Ｈ）はその上に積層形成された第４コイル導体パターン１７からなる第４コイル導体層を、同図（Ｉ）はその上に積層形成された第５誘電体パターン１８からなる第５誘電体層を、同図（Ｊ）はその上に積層形成された第６コイル導体パターン１９からなる第５コイル導体層を、同図（Ｋ）はその上に積層形成された第６誘電体パターン２０からなる第６誘電体層をそれぞれ示す。【００１８】第１乃至第５コイル導体パターン１１、１３、１５、１７、１９は第２乃至第５誘電体パターン１２、１４、１６、１８によって部分的に絶縁されることにより、全体として２つのヘリカル巻きのコイル３０、３１を構成している。【００１９】また、同図（Ａ）および同図（Ｋ）の誘電体パターン１０、２０の中央部には導体で埋められたスルーホール２１、２２が設けられ、それぞれ図５に示す端子電極２３、２４と接続されている。【００２０】２つのコイル３０、３１は第１および第５コイル導体パターン１１、１９の中央部で電気的に接続されており、全体として２つのコイル３０、３１による２重巻きとなっている。【００２１】従って、全体として１つのコイル３０により１重巻きになっている図１および図４に示す従来の形態に比べ、図２に示す形態の場合は、コイル全体の直流抵抗がおよそ半減し、なおかつ高周波電流に寄与するコイル導体の表面積がおよそ２倍となるため、全周波数帯域においてＱ特性が大幅に改善される。【００２２】また、特開２００２−１３４３２２のように略同一のコイル導体パターンを磁束方向に複数重ね合わせて少なくともその両端部で電気的に接続して多重巻きとした場合、磁束方向に隣り合うコイル導体パターンのシールド効果によるＱ特性の低下の為に、重ね合わせの層数に比例するほどＱ特性は上昇しないが、図２に示す形態の場合には、略同一形状の複数のコイル導体パターン１１または１３または１５以下略、の位置関係は、磁束方向に重ね合わせた関係でないので、磁束方向に隣り合うコイル導体パターンのシールド効果によるＱ特性の低下が少なく、大幅にＱ特性が改善される。【００２３】また、図２に示す形態の場合、２つのコイル３０、３１による２重巻きにすることによって、端子電極とコイル間の浮遊容量が大きく増加することはないので、ＳＲＦが著しく低下することはない。【００２４】図２に示す形態では、図１に示す従来の形態と比べると、同じ工数でのコイル巻き数は半分になることが判る。【００２５】図３および図６はそれぞれ本発明の第２の実施の形態、第３の実施の形態を示す。【００２６】図６はコイルへの通電によって生じる磁束方向に対して垂直方向の両端部に端子電極を形成した積層型コイル部品の場合である。【００２７】図６の場合、図２および図３に示す第１および第２の実施例と同様に、全体として２つのコイル３０、３１による２重巻きとなっているので、Ｑ特性が大幅に改善されるが、その反面、端子電極とコイル間の浮遊容量が増加するため、ＳＲＦが著しく低下してしまう。【００２８】以上、本発明を実施するための最良の形態について説明したが、本発明はこれに限定されることなく請求項記載の範囲内において各種の変形、変更が可能なことは当業者には自明であろう。
【発明の効果】
【００２９】以上説明したように、請求項１によれば、複数のコイルを少なくともその両端で電気的に接続し、前記複数のコイルにより多重巻きとしたことにより、コイル全体の直流抵抗を小さくし、なおかつ高周波電流に寄与するコイル導体の表面積を増やすことになり、その結果、全周波数帯域においてＱ特性を大幅に改善することができる。
【００３０】また、請求項２によれば、略同一形状の複数のコイル導体パターンの位置関係は、磁束方向に重ね合わせた関係でないので、磁束方向に隣り合うコイル導体パターンのシールド効果によるＱ特性の低下が少なく、大幅にＱ特性を改善することができる。
【００３１】また、請求項３によれば、コイルへの通電によって生じる磁束方向の両端部に端子電極を形成しているので、多重巻きをしても端子電極とコイル間の浮遊容量は大きく増加せず、ＳＲＦが著しく低下することがない。
【図面の簡単な説明】
【００３２】
【図１】従来の積層型コイル部品の積層工程を示す図である。
【図２】本発明の第１の実施の形態による積層型コイル部品の積層工程を示す図である。
【図３】本発明の第２の実施の形態による積層型コイル部品の積層工程を示す図である。
【図４】従来の積層型コイル部品の斜視図である。
【図５】本発明の第１の実施の形態による積層型コイル部品の斜視図である。
【図６】本発明の第３の実施の形態による積層型コイル部品の積層工程を示す図である。（コイルへの通電によって生じる磁束方向に対し垂直方向の両端部に端子電極を形成した場合である。）
【符号の説明】
【００３３】  １０、１２、１４、１６、１８、２０  誘電体パターン
１１、１３、１５、１７、１９  コイル導体パターン
２１、２２  スルーホール
２３、２４  端子電極
３０、３１  コイル
【図１】
2006148035.tif 000003
【図２】
2006148035.tif 000004
【図３】
2006148035.tif 000005
【図４】
2006148035.tif 000006
【図５】
2006148035.tif 000007
【図６】
2006148035.tif 000008